(57)【要約】      （修正有）【課題】静止画を基に手軽、かつ安価に音声付き動画を制作し、インターネット動画配信市場拡大に寄与し得る音声付き動画制作・配信サービスシステムを提供する。【解決手段】動画制作支援管理装置３は、動画制作側端末２へブラウザ上で動作する静止画ファイル指定、静止画に関連するテキスト文字入力用の支援プログラムの提供を行い、動画制作側端末２から送信される静止画ファイル、関連するテキスト文字を受信して、音声合成及び音声付き動画作成プログラムに基づき音声付き動画を制作し、音声付き動画の前記動画制作側端末２への配信を行うとともに、インターネットＮを通じて一般利用者側端末１１へ配信する。動画制作側端末２は、前記支援プログラムに基づき指定した静止画ファイル、関連するテキスト文字を動画制作支援管理装置３に送信するとともに、動画制作支援管理装置３から配信される音声付き動画に対する前記支援プログラムによる管理を行う。【選択図】図１
2011082789.tif 000002
【特許請求の範囲】
【請求項１】
動画制作側端末と、動画制作支援管理装置と、一般利用者側端末と、これらの間の通信を行うインターネットとを有する音声付き動画制作・配信サービスシステムであって、
前記動画制作支援管理装置は、動画制作側端末へブラウザ上で動作する静止画ファイル指定、静止画に関連するテキスト文字入力用の支援プログラムの提供を行い、動画制作側端末から送信される静止画ファイル、関連するテキスト文字を受信して、音声合成プログラム及び音声付き動画作成プログラムに基づき音声付き動画を制作し、制作した音声付き動画の前記動画制作側端末への配信を行うとともに、インターネットを通じて一般利用者側端末への配信を可能にし、
前記動画制作側端末は、前記支援プログラムに基づき指定した静止画ファイル、関連するテキスト文字を動画制作支援管理装置に送信するとともに、前記動画制作支援管理装置から配信される音声付き動画に対する前記支援プログラムによる管理を行うように構成したことを特徴とする音声付き動画制作・配信サービスシステム。
【請求項２】
動画制作側端末と、動画制作支援管理装置と、一般利用者側端末と、これらの間の通信を行うインターネットとを有する音声付き動画制作・配信サービスシステムであって、
前記動画制作支援管理装置は、動画制作側端末へブラウザ上で動作する静止画ファイル指定、静止画に関連するテキスト文字入力用の支援プログラムの提供を行い、動画制作側端末から送信される一枚の静止画ファイル、関連するテキスト文字を受信して、音声合成プログラムによるテキスト文字からの音声合成ファイルの生成、及び音声付き動画作成プログラムによる音声合成ファイル、静止画ファイルからの音声付き動画の制作を行い、制作した音声付き動画の前記動画制作側端末への配信を行うとともに、インターネットを通じてデスクトップパソコン、ノートパソコン、携帯電話のような一般利用者側端末への配信を可能にし、
前記動画制作側端末は、前記支援プログラムに基づき指定した静止画ファイル、関連するテキスト文字を動画制作支援管理装置に送信するとともに、前記動画制作支援管理装置から配信される音声付き動画に対する前記支援プログラムによる管理を行うように構成したことを特徴とする音声付き動画制作・配信サービスシステム。
【請求項３】
動画制作側端末と、動画制作支援管理装置と、一般利用者側端末と、これらの間の通信を行うインターネットとを有する音声付き動画制作・配信サービスシステムであって、
前記動画制作支援管理装置は、動画制作側端末へブラウザ上で動作する支援プログラムであって、静止画と音声合成、静止画と音声データ、動画と音声合成、動画と音声データのような作成パターン指定、静止画ファイル指定、静止画に関連するテキスト文字入力用の支援プログラムの提供を行い、動画制作側端末から送信される作成パターンに応じた静止画ファイル又は動画ファイル、関連するテキスト文字又は音声データを受信して、音声合成プログラムと音声付き動画作成プログラムにより、前記各作成パターンに応じた音声付き動画の制作を行い、制作した音声付き動画の前記動画制作側端末への配信を行うとともに、インターネットを通じてデスクトップパソコン、ノートパソコン、携帯電話のような一般利用者側端末への配信を可能にし、
前記動画制作側端末は、前記支援プログラムに基づき指定した静止画ファイル、関連するテキスト文字を動画制作支援管理装置に送信するとともに、前記動画制作支援管理装置から配信される音声付き動画に対する前記支援プログラムによる管理を行うように構成したことを特徴とする音声付き動画制作・配信サービスシステム。
【請求項４】
動画制作側端末と、動画制作支援管理装置と、一般利用者側端末と、これらの間の通信を行うインターネットとを有する音声付き動画制作・配信サービスシステムであって、
前記動画制作支援管理装置は、動画制作側端末へブラウザ上で動作する映像・音声再生用の複数の静止画の動きを規定する動作テンプレート指定、静止画ファイル指定、静止画に関連するテキスト文字入力用及び動画管理用の支援プログラムの提供を行い、動画制作側端末から送信される指定された動作テンプレート情報、静止画ファイル、関連するテキスト文字を受信して、音声合成プログラム及び映像・音声再生用プログラムに基づき音声付きで動きを伴う動画を制作し、制作した音声付きで静止画の動きを伴う動画の前記動画制作側端末への配信を行うとともに、インターネットを通じて一般利用者側端末への配信を可能にし、
前記動画制作側端末は、前記支援プログラムに基づいて指定した指定した動作テンプレート情報、静止画ファイル、関連するテキスト文字を動画制作支援管理装置に送信するとともに、前記動画制作支援管理装置から配信される音声付きで静止画の動きを伴う動画に対する前記支援プログラムによる管理を行うように構成したことを特徴とする音声付き動画制作・配信サービスシステム。
【請求項５】
動画制作側端末と、動画制作支援管理装置と、一般利用者側端末と、これらの間の通信を行うインターネットとを有する音声付き動画制作・配信サービスシステムであって、
前記動画制作支援管理装置は、動画制作側端末へブラウザ上で動作する映像・音声再生用の複数の静止画の動きを規定する動作テンプレート指定、静止画ファイル指定、静止画に関連するテキスト文字入力用及び動画管理用の支援プログラムの提供を行い、動画制作側端末から送信される指定された動作テンプレート情報、静止画ファイル、関連するテキスト文字を受信して、音声合成プログラム及び映像・音声再生用プログラムに基づき音声付きで動きを伴う動画を制作し、制作した音声付きで動きを伴う動画の前記動画制作側端末への配信を行うとともに、インターネットを通じてデスクトップパソコン、ノートパソコン、携帯電話のような一般利用者側端末への配信を可能にし、
前記動画制作側端末は、前記支援プログラムに基づいて指定した指定した動作テンプレート情報、静止画ファイル、関連するテキスト文字を動画制作支援管理装置に送信するとともに、前記動画制作支援管理装置から配信される音声付きで動きを伴う動画に対する前記支援プログラムによる管理を行うように構成したことを特徴とする音声付き動画制作・配信サービスシステム。
【発明の詳細な説明】
【技術分野】
【０００１】
本発明は、静止画を基に手軽、かつ、安価に各種の音声付き動画を制作し、配信を行いたいという希望者の要望に沿い、インターネット動画配信市場拡大に寄与し得る音声付き動画制作・配信サービスシステムに関するものである。
【背景技術】
【０００２】
近年、有線だけでなく無線での通信インフラの高速化により、動画配信のニーズは高まってきている。しかし、動画を制作するためにアプリケーション操作の知識が必要だったり、音源や映像素材を制作する手間とコストがかかるなどの問題があり、動画制作し、配信を行う人はまだ限られている。
【０００３】
従来では、動画生成のため市販アプリケーションを購入することが行われているが、そのアプリケーションや動画に関する知識がないと動画を製作することは困難であった。
また、動画ファイルを制作するにあたり、ナレーションなどの音声データを準備する場合、録音・編集する手間と時間が掛かり、更に、静止画を動かすなどの映像部分とこの音声データを編集するにも手間隙がかかっていた。
【０００４】
上述したような問題があり、動画制作やパソコン知識が少ない人は、専門家に委託しなければ動画を制作することが難しかった。
【０００５】
専門家に動画制作を依頼する場合には、製作コスト及び配信する動画のライセンスなど高額な費用が掛かってしまう。
【０００６】
特許文献１には、利用者の意図に即したコンテンツを実現し提供するために、テキスト文字の音声データへの変換、選択した動画データと音声データとの合成による合成動画データの生成を行い、受信側に送信するように構成したコンテンツ生成システムが提案されている。
【０００７】
しかし、例えば、一枚の静止画を基に手軽、かつ、安価に各種の音声付き動画を制作して、一般利用者へ配信可能とすることまでは包含していない。
【先行技術文献】
【特許文献】
【０００８】
【特許文献１】特開２００５−６２４２０号公報
【発明の概要】
【発明が解決しようとする課題】
【０００９】
本発明が解決しようとする問題点は、例えば一枚の静止画を基に手軽、かつ、安価に各種の音声付き動画を制作し、配信を行いたいという希望者の要望に沿い、インターネット動画配信市場拡大に寄与し得る音声付き動画制作・配信サービスシステムが存在しない点である。
【課題を解決するための手段】
【００１０】
本発明は、動画制作側端末と、動画制作支援管理装置と、一般利用者側端末と、これらの間の通信を行うインターネットとを有する音声付き動画制作・配信サービスシステムであって、前記動画制作支援管理装置は、動画制作側端末へブラウザ上で動作する静止画ファイル指定、静止画に関連するテキスト文字入力用の支援プログラムの提供を行い、動画制作側端末から送信される静止画ファイル、関連するテキスト文字を受信して、音声合成プログラム及び音声付き動画作成プログラムに基づき音声付き動画を制作し、制作した音声付き動画の前記動画制作側端末への配信を行うとともに、インターネットを通じて一般利用者側端末への配信を可能にし、前記動画制作側端末は、前記支援プログラムに基づき指定した静止画ファイル、関連するテキスト文字を動画制作支援管理装置に送信するとともに、前記動画制作支援管理装置から配信される音声付き動画に対する前記支援プログラムによる管理を行うように構成したことを最も主要な特徴とする。
【発明の効果】
【００１１】
請求項１、２記載の発明によれば、静止画、テキスト文字データに基づき、簡単操作で誰でも容易、かつ、安価に音声付き動画を制作し、一般利用者側端末に配信することが可能となり、インターネット動画配信市場拡大に寄与し得る音声付き動画制作・配信サービスシステムを実現し提供することができる。
【００１２】
また、請求項３記載の発明によれば、上記効果を奏することに加え、静止画と音声合成、静止画と音声データ、動画と音声合成、動画と音声データのような音声付き動画の作成源の多様化を図りより使い易い音声付き動画制作・配信サービスシステムを実現し提供することができる。
【００１３】
請求項４、５記載の発明によれば、動作テンプレート、静止画、テキスト文字データに基づき、簡単操作で誰でも容易、かつ、安価に音声付き静止画の動きを伴う動画を制作し、一般利用者側端末に配信することが可能となり、インターネット動画配信市場拡大に寄与し得る音声付き動画制作・配信サービスシステムを実現し提供することができる。
【図面の簡単な説明】
【００１４】
【図１】図１は本発明の実施例１に係る音声付き動画生成・配信サービスシステムの全体構成を示す概略ブロック図である。
【図２】図２は本実施例１における動画制作側端末２の静止画ファイル指定、関連するテキスト文字入力処理のイメージを示す図である。
【図３】図３は本実施例１における音声付き動画の作成画面のイメージを示す図である。
【図４】図４は本実施例１における音声付き動画ファイルを生成する処理の流れの一例を示すフローチャートである。
【図５】図５は本実施例１における音声付き動画ファイルを生成する処理の流れの他例を示すフローチャートである。
【図６】図６は本実施例１における音声付き動画ファイルの結合生成パターンの第一の例を示す説明図である。
【図７】図７は本実施例１における音声付き動画ファイルの結合生成パターンの第二の例を示す説明図である。
【図８】図８は本実施例１における音声付き動画ファイルの結合生成パターンの第三の例を示す説明図である。
【図９】図９は本実施例１における音声付き動画ファイルの結合生成パターンの第四の例を示す説明図である。
【図１０】図１０は本実施例１における音声付き動画ファイルの結合生成パターンの第五の例を示す説明図である。
【図１１】図１１は本実施例１における音声付き動画ファイルの結合生成パターンの第六の例を示す説明図である。
【図１２】図１２は本発明の実施例２に係る音声付き動画生成・配信サービスシステムの全体構成を示す概略ブロック図である。
【図１３】図１３は本実施例２における動画制作側端末での静止画の再生時の動き等を規定するテンプレート指定、静止画ファイル指定、関連するテキスト文字入力処理のイメージを示す図である。
【図１４】図１４は本実施例２における映像・音声データをデスクトップパソコン、ノートパソコン又は携帯電話へ配信するイメージを示す図である。
【発明を実施するための形態】
【００１５】
本発明は、静止画を基に手軽、かつ、安価に各種の音声付き動画を制作し、配信を行いたいという希望者の要望に沿い、インターネット動画配信市場拡大に寄与し得る音声付き動画制作・配信サービスシステムを実現し提供するという目的を、動画制作側端末と、動画制作支援管理装置と、一般利用者側端末と、これらの間の通信を行うインターネットとを有する音声付き動画制作・配信サービスシステムであって、前記動画制作支援管理装置は、動画制作側端末へブラウザ上で動作する静止画ファイル指定、静止画に関連するテキスト文字入力用の支援プログラムの提供を行い、動画制作側端末から送信される一枚の静止画ファイル、関連するテキスト文字を受信して、音声合成プログラムによるテキスト文字からの音声合成ファイルの生成、及び音声付き動画作成プログラムによる音声合成ファイル、静止画ファイルからの音声付き動画の制作を行い、制作した音声付き動画の前記動画制作側端末への配信を行うとともに、インターネットを通じてデスクトップパソコン、ノートパソコン、携帯電話のような一般利用者側端末への配信を可能にし、前記動画制作側端末は、前記支援プログラムに基づき指定した静止画ファイル、関連するテキスト文字を動画制作支援管理装置に送信するとともに、前記動画制作支援管理装置から配信される音声付き動画に対する前記支援プログラムによる管理を行うように構成したものである。
【実施例１】
【００１６】
以下、本発明の実施例１に係る音声付き動画制作・配信サービスシステムについて、詳細に説明する。
【００１７】
本実施例１に係る音声付き動画制作・配信サービスシステム１は、図１に示すように、動画制作側端末２と、Ｗｅｂサーバー４及び音声合成サーバー５を含む動画制作支援管理装置３と、一般利用者側端末１１と、これらの間の通信を行うインターネットＮとを有している。
前記動画制作支援管理装置３は、更に動画変換サーバー６、動画配信サーバー７、データサーバー８を有している。
前記Ｗｅｂサーバー４は、動画制作側端末２で利用するアプリケーションが動作し、その他各サーバーとの連携を行い動画を生成する。
前記音声合成サーバー５は、入力されたテキスト文字を、音声合成技術により音声データに変換する。
前記動画変換サーバー６は、携帯電話１４の各機種およびデスクトップパソコン１２、ノートパソコン１３など動画を再生させる利用者側端末１１に対応した動画形式にファイルを書式変換する。
前記動画配信サーバー７は、出来上がった動画ファイルを、インターネットＮを介して配信する役割を担う。前記データサーバー８は、動画を生成するため基データ（静止画やテキスト）をはじめ生成された動画ファイルや変換された動画ファイル、その他動画のアクセス情報（再生回数）などのデータを管理する機能を有する。
【００１８】
前記動画制作支援管理装置３は、全体として、アプリケーションサービスプロバイダ（ＡＳＰ）として機能し、前記Ｗｅｂサーバー４によりインターネットＮを通じて動画制作側端末２へそのブラウザ上で動作する静止画ファイル指定、静止画に関連するテキスト文字入力用の支援プログラムの提供を行い、また、動画制作側端末２から送信される静止画ファイル、関連するテキスト文字を受信して、音声合成サーバー５に搭載した音声合成プログラム、及び前記Ｗｅｂサーバー４に搭載した音声付き動画作成プログラムに基づき音声付き動画を制作し、制作した音声付き動画を前記動画制作側端末２へ配信し、更に、制作した音声付き動画をインターネットＮを通じて一般利用者側端末１１への配信を可能としている。
前記動画制作側端末２は、前記支援プログラムに基づき指定した静止画ファイル、関連するテキスト文字を動画制作支援管理装置３に送信するとともに、前記動画制作支援管理装置３から配信される音声付き動画に対する前記支援プログラムによる管理をそのブラウザ上で行うように構成している。
【００１９】
前記一般利用者側端末１１としては、デスクトップパソコン１２、ノートパソコン１３、携帯電話１４等を挙げることができる。
【００２０】
前記音声合成プログラムは、テキスト文字を認識し、公知の音声エンジンによりテキスト文字に対応した合成音声データを生成し、音声合成サーバー５の記憶部（ハードディスク）に音源ファイルとして記憶する。例えば、合成音声データは、例えば「あ」や「い」などの音節単位ごとの波形データとして生成される。また、合成音声データは、各動画データごとに対応付けて生成される。
【００２１】
前記音声付き動画作成プログラムは、例えば、静止画像データに静止画の切り替わりを示す差分データを付加することによって、静止画が切り替わってゆく動画データを生成する処理、動画・合成音声の時間軸でのマッチング処理等を行い、前記静止画、テキスト文字データに対応する音声付き動画を生成する処理等を行い、データサーバー８の記憶部（ハードディスク）に記憶する。
【００２２】
更に、この音声付き動画は、動画配信サーバー７により前記動画制作側端末２へ配信されて、一般利用者側端末１１からのアクセスに応じて一般利用者側端末１１へも配信される。
【００２３】
次に、動画制作側端末２において、前記支援プログラムに基づいたブラウザ画面上での静止画ファイル指定、関連するテキスト文字入力処理のイメージについて図２を参照して説明する。
【００２４】
これは、１枚の静止画ファイルと音声合成音源ファイルから動画ファイルを生成するための、動画制作側端末２側の入力処理である。
【００２５】
図２に示すブラウザ画面上の静止画ファイル指定欄は、例えば、画像１（D:\v-link\動画制作\0100222.jpg）を選択指定する欄である。
また、テキスト文字入力領域は、静止画に関連する所望のテキスト文字を入力する領域である。
【００２６】
図２に示すブラウザ画面上で、動画作成ボタンがクリックされた場合、動画制作側端末２のハードディスク上に記憶されている静止画ファイル、テキスト文字データは、前記Ｗｅｂサーバー４にアップロードされる。
【００２７】
Ｗｅｂサーバー４にリンクしている音声合成サーバー５は、音声合成プログラムを使用して入力されたテキスト文字データについて音声合成処理を行い、音源ファイルを生成し、記憶部（ハードディスク）に記憶する。
【００２８】
Ｗｅｂサーバー４上の音声付き動画作成プログラムは、上述した処理が完了後、音源ファイルに記憶した音源データの再生時間の長さに合わせてアップロードした静止画を連続ファイルにし、音声付き動画ファイルを生成し、記憶部（ハードディスク）に記憶する。
【００２９】
図３は、音声付き動画の作成画面のイメージを示すものであり、この作成画面において、作成パターン選択欄では、静止画＋音声合成、静止画＋音声データ、動画＋音声合成、動画＋音声データ、動画のみのいずれかを選択する。
【００３０】
映像データ選択欄では、使用する静止画（例えばd:\写真データ\20090000.jpg）を選択する。
【００３１】
音声データ選択欄では、使用する音声データ（例えばd:\音声データ\20090000.mp3）等を選択する。ただし、音声合成を利用する場合は選択できないように構成している。
音声合成用テキスト入力欄では、所望のテキスト文字を入力する。ただし、既存の音声ファイルを利用する場合は選択できないように構成している。
【００３２】
この作成画面において、完了ボタンをクリックすると、この作成画面で指定されたデータまでで上述したような処理により音声付き動画が生成される。
【００３３】
そして、この作成画面において、次へボタンをクリックすると、この画面で指定されたデータで音声付き動画を生成し、再度同一の画面が表示され、次の画面で制作された動画と結合した動画が生成される。また、この動作は繰り返し行うように構成している。
【００３４】
次に、本実施例１において音声付き動画ファイルを生成する処理の流れの２例について図４、図５を参照して説明する。
【００３５】
図４は、静止画と音声合成から音声付き動画ファイルを生成する処理の流れを示すものであり、指定された静止画をＷｅｂサーバー４へアップロードする。
【００３６】
Ｗｅｂサーバー４は、入力されたテキストデータ（テキスト文字データ）を音声合成サーバー５に送信する。
【００３７】
音声合成サーバー５は音声合成処理により生成したデータ（音声ファイル）を所定の記憶部（ハードディスク）に記憶する。
【００３８】
Ｗｅｂサーバー４上の音声付き動画作成プログラムは、アップロードされた静止画を音声合成サーバーにて生成した音声合成データ（音声ファイル）の再生時間分の長さだけ繰り返し連続する映像データとし、この映像データと音声合成データを結合し１つの音声付きの動画ファイルを生成し、データサーバー８に記憶する。
【００３９】
図５は、動画ファイルと音声合成から別の動画ファイルを生成する処理の流れを示すものであり、まず、指定された動画がＷｅｂサーバー４へアップロードされ、Ｗｅｂサーバー４上のプログラムは、アップロードされた動画ファイルを、動画データと音声データに分離し、入力されたテキストデータを音声合成サーバー５に送信する。
【００４０】
音声合成サーバー５は音声合成処理により生成された音声データを記憶部の所定のディレクトリに格納する。
【００４１】
Ｗｅｂサーバー４上の音声付き動画作成プログラムは、分離して生成された動画データと音声合成データを結合し１つの音声付きの別の動画ファイルを生成する。
【００４２】
次に、図６乃至図１１を参照して、音声付き動画ファイルの各種の結合生成パターンについて説明する。
【００４３】
図６は、静止画ファイルと、音声合成（音源ファイル）から動画ファイルＡを生成する例であり、静止画（写真などの画像ファイル）と、音声合成（音源ファイル）とを結合し、音声付き動画ファイルＡを生成するものである。
【００４４】
図７は、静止画ファイルと、音楽やナレーションなどの音源データから音声付き動画ファイルＢを生成する例を示すものであり、静止画（写真などの画像ファイル）と音楽やナレーションとを結合し、動画ファイルＢを生成するものである。
【００４５】
図８は、前記動画ファイルＡと、動画ファイルＢとを結合し新たな音声付き動画ファイルＣを生成する例を示すものである。
【００４６】
図９は、前記動画ファイルＣと、自作動画ファイルＤとを結合し新たな動画ファイルＥを生成する例を示すものである。
【００４７】
図１０は、動画ファイルの音源データを音声合成ファイルのデータと差し替え、１つの動画ファイルＧとして生成する例を示すものである。
すなわち、動画ファイルＸのデータを、音声があればこの音声を分離して音声データＹと動画データとに分離し、音声データＹは使用せず、動画データにより動画ファイルＦを作成し、この動画ファイルＦの動画データと音声合成ファイルのデータとを結合して１つの動画ファイルＧとして生成するものである。
【００４８】
図１１は、動画ファイルの音源データを予め制作した音楽やナレーションデータと差し替え、１つの動画ファイルＩとして生成する例を示すものである。
すなわち、動画ファイルＺのデータを、音声があればこの音声を分離して音声データＹ’と動画データとに分離し、音声データＹ’は使用せず、動画データにより動画ファイルＨを作成し、この動画ファイルＨの動画データと音楽やナレーションを含む音源データとを結合して１つの動画ファイルＧとして生成するものである。
【００４９】
上述した静止画データ、音声データ、動画データに各対応ファイル形式としては、例えば、
静止画データ：jpeg／bmp／png／gif／TIF
音声データ：mp3／wav／WMA／MP2／AC3／／OGG／RA／AAC 
動画データ：avi／wmv／mpeg／mov／mp4／3gp／3gp2／divx／xvid／FLV
等を挙げることができる。
【００５０】
本実施例１の音声付き動画制作・配信サービスシステム１によれば、動画制作側端末２において静止画があれば、この静止画と入力したテキスト文字データとを動画制作支援管理装置３に送信するだけの簡単操作で誰でも容易に音声付き動画を制作できる。
【００５１】
また、対応する音声付き動画の配信を受け管理したり、あるいは音声付き動画を一般利用者側端末１１に配信することが可能となり、これにより、例えば一般顧客への商品をネット販売する場合の音声付き動画による商品説明用として活用できる。
【００５２】
また、本実施例１の音声付き動画制作・配信サービスシステム１によれば、配信するための動画を動画制作側端末２で編集したり、音声（ナレーション）の収録等の制作の手間がまったく必要でなくなり、ナレーションの収録を外部に依頼した場合に比べ、大幅なコスト削減を図ることができる。
【００５３】
本実施例１の音声付き動画制作・配信サービスシステム１によれば、音声合成を活用することで、音声付き動画における音声に関して後からの修正も納得がいくまで可能である利点もある。
【実施例２】
【００５４】
次に、図１２、図１３、図１４を参照して、本発明の実施例２に係る音声付き動画制作・配信サービスシステム１Ａについて説明する。
【００５５】
本実施例２に係る音声付き動画制作・配信サービスシステム１Ａは、図１２に示すように、実施例１の場合と同様な動画制作側端末２と、実施例１の場合と同様な構成の動画制作支援管理装置３と、一般利用者側端末１１と、これらの間の通信を行うインターネットＮとを有し、音声付き静止画の動きを伴う動画を制作し、配信するように構成したことが特徴である。
【００５６】
本実施例２に係る音声付き動画制作・配信サービスシステム１Ａにおいては、基本的構成、作用は実施例１の場合と同様であるが、前記動画制作支援管理装置３は、動画制作側端末２へブラウザ上で動作する静止画に基づく動画生成用の複数の動作テンプレート（静止画、音声、テキストの動作を規定するためのテンプレート）指定、静止画ファイル指定、静止画に関連するテキスト文字入力用、動画管理用のプログラムからなる支援プログラムの提供を行い、前記動画制作側端末２は、前記支援プログラムに基づき指定した動作テンプレート、静止画ファイル、関連するテキスト文字を動画制作支援管理装置３に送信するように構成している。
そして、動画制作支援管理装置３は、動画制作側端末２から送信される特定の動作テンプレート情報（どのテンプレートを選択したかの情報）、静止画ファイル、関連するテキスト文字を受信して、音声合成プログラム及び映像・音楽再生用プログラムにより音声付きで静止画の動きを伴う動画を制作し、制作した音声付きで静止画の動きを伴う動画の前記動画制作側端末２への配信を行うとともに、インターネットＮを通じて一般利用者側端末への配信を可能にし、更に、動画制作側端末２は、配信される音声付きで静止画の動きを伴う動画に対する前記支援プログラムによる管理を行うように構成したことが特徴である。
【００５７】
次に、本実施例２に係る音声付き動画制作・配信サービスシステム１Ａにおける動画制作側端末２において、前記支援プログラムに基づいたブラウザ画面上でのテンプレート指定、静止画ファイル指定、関連するテキスト文字入力処理について図１３を参照して説明する。
【００５８】
これは、静止画ファイルのデータと音声合成音源ファイルの音源データから動画ファイルを生成するための、動画制作側端末２側の入力処理である。
【００５９】
図１３に示すブラウザ画面において、テンプレート指定領域欄は、静止画の動作などを設定したテンプレート（テンプレート１、２、・・・・）（以下「テンプレートプログラム１、テンプレートプログラム２、・・・」ともいう）を選択指定する欄である。
静止画ファイル指定欄は、例えば、画像１（D:\v-link\動画制作\0100222.jpg）・・・画像ｎ（D:\v-link\動画制作\0100222.jpg）を選択指定する欄である。
【００６０】
テキスト文字入力領域は、静止画に関連する所望のテキスト文字を入力する領域である。
【００６１】
そして、ブラウザ画面において、動画制作ボタンがクリックされた以降の処理は、動画制作側端末２の記憶部（ハードディスク）上の静止画ファイル、テキスト文字データをＷｅｂサーバー４にアップロードする。
【００６２】
Ｗｅｂサーバー４にリンクしている音声合成サーバー５は、音声合成プログラムを使用して入力されたテキスト文字データについて音声合成処理を行い、音声ファイルを生成する。
【００６３】
Ｗｅｂサーバー４上では、例えば複数のテンプレートと関連付けたテンプレートプログラムが静止画ファイルのデータ、音声合成データを基に音声付きで静止画の動きを伴う動画を生成し、前記データサーバー８に記憶して配信可能とする。
【００６４】
ここで、前記テンプレートについて図１４をも参照して説明する。一般に、動画とは映像データと音源データとにより成立している。
【００６５】
例えば、テンプレート１プログラムは、静止画データや音声合成データをそれぞれ外部のファイルとして読み込みながら再生する動作を行い、動画を配信するプログラムである。
【００６６】
そこで、再生する際に静止画を「右から左に移動させながら再生したい」「下から上に移動させながら再生したい」「再生と同時にテロップを流したい」などの要請が生じる。
【００６７】
この静止画の動きやパターンをテロップを流すなどの表示パターンを予め設定することで、動画作成時に動作パターンを選択するだけで静止画の動きを調整することが可能となるものであり、このようなパターンを記述したプログラムを本実施例２では「テンプレートプログラム」と称するものとする。
【００６８】
図１４は、前記動画制作支援管理装置３は、動画制作側端末２から送信される特定の動作テンプレート情報（どのテンプレートを選択したかの情報）、静止画ファイル、関連するテキスト文字を受信して、音声合成プログラム及びテンプレート１プログラムにより音声付きで静止画の動きを伴う動画を制作し、一般利用者側端末１１であるデスクトップパソコン１２、ノートパソコン１３、携帯電話１４に配信する構成を示すものである。
【００６９】
本実施例２の音声付き動画制作・配信サービスシステム１Ａによれば、実施例１の場合と同様、動画制作側端末２において静止画があれば、この静止画と入力したテキスト文字データとを動画制作支援管理装置３に送信するだけの簡単操作で誰でも容易に音声付きで静止画の動きを伴う動画を制作できる。
【００７０】
また、対応する音声付きで静止画の動きを伴う動画の配信を受け管理したり、或いは前記動画を一般利用者側端末１１に配信することが可能となり、これにより、例えば一般顧客への商品をネット販売する場合の音声付きで静止画の動きを伴う動画による商品説明用として活用できる。
【００７１】
また、本実施例２の音声付き動画制作・配信サービスシステム１Ａによれば、配信するための動画を動画制作側端末２で編集したり、音声（ナレーション）の収録等の制作の手間がまったく必要でなくなり、ナレーションの収録を外部に依頼した場合に比べ、大幅なコスト削減を図ることができる。
【００７２】
本実施例２の音声付き動画制作・配信サービスシステム１によれば、音声合成を活用することで、音声付き動画における音声に関して後からの修正も納得がいくまで可能である利点もある。
【００７３】
なお、上述した実施例１、２の音声付き動画制作・配信サービスシステムのシステム構成は、これらに限定されるものではなく、例えば動画配信部分に他社サーバーを利用する場合等においては、所要のシステム変更を行っても上述した場合と同様な作用、効果を発揮させることができる。
【産業上の利用可能性】
【００７４】
本発明は、金融関係のチャート、ニュース、商品説明、商品コマーシャル、サービス説明、店舗・企業コマーシャル、お店メニュー、料理レシピ、ｅラーニング、天気図の解説、旅行ツアー説明、建設施工報告等に関する音声付き動画制作、配信の分野に広範に適用可能である。
【符号の説明】
【００７５】
１    音声付き動画制作・配信サービスシステム
１Ａ  音声付き動画制作・配信サービスシステム
２    動画制作側端末
３    動画制作支援管理装置
４    Ｗｅｂサーバー
５    音声合成サーバー
６    動画変換サーバー
７    動画配信サーバー
８    データサーバー
１１    一般利用者側端末
１２    デスクトップパソコン
１３    ノートパソコン
１４    携帯電話
【図１】
2011082789.tif 000003
【図２】
2011082789.tif 000004
【図３】
2011082789.tif 000005
【図４】
2011082789.tif 000006
【図５】
2011082789.tif 000007
【図６】
2011082789.tif 000008
【図７】
2011082789.tif 000009
【図８】
2011082789.tif 000010
【図９】
2011082789.tif 000011
【図１０】
2011082789.tif 000012
【図１１】
2011082789.tif 000013
【図１２】
2011082789.tif 000014
【図１３】
2011082789.tif 000015
【図１４】
2011082789.tif 000016